(57)【特許請求の範囲】
【請求項１】
本体と、本体の下面に取り付けられる化粧パネルとを備え、
前記本体は天井裏空間に複数の吊りボルト手段により吊り下げて支持される空気調和機の取付装置であって、
前記化粧パネルに形成され、底部にネジ穴を有するパネル取付穴部と、
前記パネル取付穴部のネジ穴にネジ結合するとともに、前記本体に取付ネジで固定されるネジ受けと、を備え、
前記ネジ受けは、一方に回転し、上方移動量の最大限界となった際に前記パネル取付穴部の底部に当接する、前記ネジ受けの外周方向に突設したフランジ部を有し、
前記化粧パネルは、前記ネジ受けが他方に回転し、下方移動量の最大限界となった際に、パネル取付穴部の開口端部と前記フランジ部との高さレベルの位置合わせをするための、前記パネル取付穴部の開口端部に形成されたリブを有する、
ことを特徴とする空気調和機の取付装置。
【請求項２】
前記ネジ受けが、前記化粧パネルに対して、所定の突出寸法および所定の引っ込み寸法となる範囲において、
前記化粧パネルが、天井面に隙間なく接触する、
ことを特徴とする請求項１記載の空気調和機の取付装置。
【請求項３】
前記ネジ受けは、前記本体に固定される取付ネジが挿入される穴部を有し、前記穴部の内面に前記ネジ受けの軸方向に延びる凸部を有する、
ことを特徴とする請求項１または２記載の空気調和機の取付装置。
【請求項４】
請求項１〜３のいずれか一項に記載の空気調和機の取付装置を備えたことを特徴とする空気調和機。
【発明の詳細な説明】
【技術分野】
【０００１】
本発明は、天井カセット形空気調和機の取付装置およびこの取付装置を備えた空気調和機に関し、特に、化粧パネルの取付装置に関するものである。
【背景技術】
【０００２】
従来の天井カセット形空気調和機（以下、単に「空気調和機」という）の取付装置として、本体を吊りボルト等により天井裏空間に吊り下げ支持し、ついで化粧パネルを本体の下面に取り付けるにあたって、化粧パネルを所定の取付高さ位置よりも下側位置において本体に仮支持する仮支持手段と、仮支持手段による化粧パネルの仮支持状態から上昇移動させて本体に対して所定高さ位置に取り付けるパネル取付手段とを設けたものが提案されている（例えば、特許文献１参照）。ここで、上記の仮支持手段は、化粧パネルに設けられ、本体ケーシングの外壁面に突設されたフックに係止自在な仮掛け金具と、仮掛け金具の下端部に取り付けられた連結板とを備えており、パネル取付手段は、連結板に螺合され、回転により連結板に対する相対高さ位置が変更可能とされたビスから構成されている。
【先行技術文献】
【特許文献】
【０００３】
【特許文献１】特開平７−３３２６９７号公報
【発明の概要】
【発明が解決しようとする課題】
【０００４】
しかし、特許文献１に開示された空気調和機の取付装置は、本体ケーシングの外壁面に設けたフックに仮掛け金具を引っ掛けて仮掛け金具の連結板にビスを螺合することで、化粧パネルを上昇させるものであるが、本体ケーシングの吊り高さを調整するには、あくまでも吊りボルトやナット、座金、スパナ等を使って空気調和機本体の吊り高さを調整する必要がある。そのため、位置調整が難しく取付作業性が悪いといった問題があった。また、吊り高さが天井面に対して高過ぎると、天井面に化粧パネル背面が強く押し付けられて化粧パネルの反りが発生したり、逆に吊り高さが天井面に対して低過ぎると、天井面と化粧パネルとの間に隙間が発生してしまうといった意匠的な問題があった。また、空気調和機本体のメンテナンスを行う場合においても同様の問題があった。また、上記の仮支持手段とパネル取付手段とからなるパネル取付構造では、部品点数が多くコスト的に不利になる問題点もあった。
【０００５】
本発明は、上記のよう課題を解決するためになされたもので、簡単な構成で空気調和機本体の吊り高さ調整のバラツキを化粧パネル側で吸収できるようにすることにより、吊り高さの調整が容易にでき、さらに取付作業の効率が向上するとともに、常に安定した取付作業及びメンテナンス作業ができる空気調和機の取付装置およびこの取付装置を備えた空気調和機を提供することを目的としている。
【課題を解決するための手段】
【０００６】
本発明に係る空気調和機の取付装置は、本体と、本体の下面に取り付けられる化粧パネルとを備え、前記本体は天井裏空間に複数の吊りボルト手段により吊り下げて支持される空気調和機の取付装置であって、前記化粧パネルに形成され、底部にネジ穴を有するパネル取付穴部と、前記パネル取付穴部のネジ穴にネジ結合するとともに、前記本体に取付ネジで固定されるネジ受けと、を備え、前記ネジ受けは、一方に回転し、上方移動量の最大限界となった際に前記パネル取付穴部の底部に当接する、前記ネジ受けの外周方向に突設したフランジ部を有し、前記化粧パネルは、前記ネジ受けが他方に回転し、下方移動量の最大限界となった際に、パネル取付穴部の開口端部と前記フランジ部との高さレベルの位置合わせをするための、前記パネル取付穴部の開口端部に形成されたリブを有する構成としたものである。
【発明の効果】
【０００７】
本発明の空気調和機の取付装置は、上記のように構成したので、空気調和機本体の吊り高さ調整のバラツキを化粧パネル側で容易に吸収でき、吊り高さの調整が容易にでき、さらに取付作業の効率が向上すると共に常に安定した取付作業及びメンテナンス作業ができるという効果を有する。
【図面の簡単な説明】
【０００８】
【図１】本発明の実施の形態１における空気調和機及びその取付装置を示す全体斜視図である。
【図２】空気調和機の化粧パネルの取付構造を示す全体斜視図である。
【図３】吊り上げ過ぎの場合の化粧パネルの取付構造を示す要部断面図である。
【図４】吊り上げ不足の場合の化粧パネルの取付構造を示す要部断面図である。
【図５】本発明の実施の形態２における化粧パネルの取付に使用するネジ受けを示す斜視図である。
【図６】（ａ）はネジ受けの断面図、（ｂ）はネジ受けの下面図である。
【発明を実施するための形態】
【０００９】
以下、本発明に係る空気調和機及びその取付装置の実施の形態について、図面に基づいて説明する。
【００１０】
実施の形態１．
図１は本発明の実施の形態１における空気調和機及びその取付装置を示す全体斜視図、図２は空気調和機の化粧パネルの取付構造を示す全体斜視図である。
これらの図において、空気調和機１０は、本体１と、本体１の下面に取り付けられる化粧パネル２とを備えている。本体１の内部構造は図示されていないが、従来例と同様の構造であり、主要機器として送風機と熱交換器とを備えており、吸込口から取り込んだ空気を熱交換器で熱交換することで冷気または暖気を生成し、これにより空調された空気を室内に送風するようになっている。
【００１１】
本体１は、下面を天井開口部５０に臨ませた状態で天井裏空間に複数の吊りボルト手段３により吊り下げて支持される。この吊りボルト手段３は、図１にその構成を拡大斜視図で示すように、梁（図示せず）に埋設された吊りボルト３１と、本体１の相対する側面に設けられ、吊りボルト３１を通すための長穴３２と吊りボルト３１着脱用の切欠き３３とが設けられた吊り金具３４とを有し、吊りボルト３１に挿入した座金３５とナット３６で吊り金具３４を上下から挟んで固定するようになっている。
【００１２】
化粧パネル２は、天井開口部５０を覆うように本体１に取り付けられる。化粧パネル２の取付構造については、後述する。また、化粧パネル２は、ここでは図１、図２に示すように、背面パネル２１と、背面パネル２１に開閉自在にヒンジ結合され、閉じたときには背面パネル２１に係止される前面パネル２２とから構成されている。背面パネル２１および前面パネル２２は、化粧パネル２の取付時には下向きとなる。背面パネル２１は、図２の下側に仮掛け手段２３を拡大斜視図で示すように、背面側上方に突設したフック２４が本体１の下面部に設けられた仮掛け部１１に係止することにより仮止め状態に保持される。なお、化粧パネル２は、上記のように背面パネル２１と前面パネル２２の２枚のパネルで構成されているものに限らず、１枚のパネルで構成されているものでもかまわない。また、空調空気の吹き出し方向も１方向に限らず、２方向あるいは４方向のものでもよい。
【００１３】
上記の化粧パネル２は、本体１に複数箇所（本例では６箇所）をネジ方式で取り付けるようになっている。この化粧パネル２の取付構造を図３および図４に示す。
図３は、本体１が吊り上げ過ぎの場合の化粧パネル取付構造を示す断面図で、拡大断面図が併記されている。図４は、本体１が吊り上げ不足の場合の化粧パネル取付構造を示す断面図で、同じく拡大断面図が併記されている。
【００１４】
これらの図に示すように、化粧パネル２の背面パネル２１には、底部にネジ穴２５を有するパネル取付穴部２６が形成されている。そして、本体１に取付ネジ５で固定されるネジ受け４がパネル取付穴部２６のネジ穴２５にネジ結合されている。ネジ受け４は、外周に雄ネジが形成され、穴底部に取付ネジ５の挿通孔４２が設けられたもので、回転により背面パネル２１より上方へ突出するようになっている。この突出寸法ｄを所定の値に規制するために、ネジ受け４にはパネル取付穴部２６の底部と当接するフランジ部４１が形成されている。
また、ネジ受け４は、反対に回転することによりパネル取付穴部２６の内部に引き込まれる。このネジ受け４の所定の引っ込み寸法（すなわち、上記突出寸法ｄ＝０となる）に対して、フランジ部４１と高さレベルの位置合わせをするためのリブ２７がパネル取付穴部２６の開口端部に形成されている。
【００１５】
次に、上記のように構成された空気調和機１０の取付装置、特に、化粧パネル取付構造の動作について説明する。
【００１６】
空気調和機１０の本体１は、前述の吊りボルト手段３により天井裏空間に吊り下げて支持される。また、化粧パネル２は、本体１に前述の仮掛け手段２３のフック２４を本体１の仮掛け部１１に引っ掛けるか、または、ネジ受け４が回転できる程度に取付ネジ５を緩く締めるなどして仮付けしておく。そして、図３に示すように、本体１が吊り上げ過ぎの場合、すなわち、本体１の下面（取付座面１２）と天井面５１との高さの差ΔＨが所定の最大値（ΔＨmax）に達するような吊り上げ高さにある場合、ネジ受け４を最大限度までパネル取付穴部２６のネジ穴２５にねじ込んでいく。そうすると、ネジ受け４のフランジ部４１がパネル取付穴部２６の底部に突き当たり、同時にネジ受け４の先端が上方へ突出して本体１の取付座面１２に当接する。したがって、ネジ受け４のフランジ部４１がパネル取付穴部２６の底部に当接した場合は、本体１が吊り上げ過ぎであると判断する。吊り上げ過ぎの目安としては、最大高さの差ΔＨmaxが１０ｍｍ程度あれば天井面５１に対して明らかに吊り上げ過ぎと判断できる。
【００１７】
一方、図４に示すように、本体１が吊り上げ不足の場合、すなわち、本体１の下面（取付座面１２）と天井面５１との高さの差ΔＨが所定の最小値（ΔＨmin）に達するような吊り上げ高さにある場合、ネジ受け４を反対に回転することにより下方へ後退させる。その際、ネジ受け４のフランジ部４１とパネル取付穴部２６の開口端部に形成されたリブ２７とが同一面になったときに、本体１が吊り上げ不足と判断する。またこのときには、ネジ受け４の突出寸法ｄ＝０となっており、化粧パネル２（背面パネル２１）の取付座面２８とネジ受け４の先端とは同一面となっている。したがって、ネジ受け４のフランジ部４１とパネル取付穴部２６のリブ２７とが同一面になった場合は、本体１が吊り上げ不足であると判断する。吊り上げ不足の目安としては、最小高さの差ΔＨminが３ｍｍ程度あれば天井面５１に対して明らかに隙間があり吊り上げ不足と判断できる。
【００１８】
そして、天井面５１に対する本体１の吊り上げ高さの差が許容範囲内（すなわち、ΔＨmin≦ΔＨ≦ΔＨmax）である場合は、ネジ受け４を微小回転させて化粧パネル２を微調整した後、取付ネジ５でネジ受け４を本体１に固定する。これによって、化粧パネル２はネジ受け４を介して本体１に取り付けられ、化粧パネル２を隙間なく天井面５１に接触させることができる。なお、本体１の吊り上げ高さの差ΔＨが許容範囲外となる場合は、一旦吊り金具３４の位置を調整する必要がある。
【００１９】
以上のように、ネジ受け４の所定の突出寸法ｄ、すなわちネジ受け４のフランジ部４１がパネル取付穴部２６の底部に当接するときのネジ受け４の上方移動量と、ネジ受け４の所定の引っ込み寸法、すなわちネジ受け４のフランジ部４１がパネル取付穴部２６の開口端部に形成されたリブ２７と同一面になるときのネジ受け４の下方移動量とをそれぞれ設定しておくだけで、本体１の吊り上げ過ぎ、または、吊り上げ不足を容易に判断することができる。したがって、本体１を天井面５１に対する吊り上げ高さをある程度ラフに取り付けても、前述した吊り上げ高さの差ΔＨが許容範囲内であれば、容易かつ正確に化粧パネル２の取付を行うことができる。さらに、本体１の吊り高さ調整のバラツキを化粧パネル側で吸収できるため、取付作業の効率が向上するとともに、常に安定した取付作業およびメンテナンス作業ができる。
【００２０】
さらに、吊り上げ過ぎによる取付時に、ネジ受け４が上方へ最大限に移動した場合には、ネジ受け４に設けられたフランジ部４１がパネル取付穴部２６の底部に当接するため、ネジ受け４の抜け防止とともに調整許容値の最大限界であることが判断できる。
一方、吊り上げ不足による取付時に、ネジ受け４が下方へ最大限に移動した場合には、ネジ受け４に設けられたフランジ部４１がパネル取付穴部２６の開口端部に設けられたリブ２７と同一面となるため、ネジ受け４の抜け防止とともに調整許容値の最小限界であることが判断できる。
さらにまた、本実施の形態の化粧パネル取付構造は、部品点数が少ないため、コスト低減が可能となる。
【００２１】
実施の形態２．
この実施の形態２では、図５および図６に示すように構成されたネジ受け４Ａを、実施の形態２によるネジ受け４に代えて使用するものである。その他の構成は実施の形態１と同様である。
図５は実施の形態２によるネジ受け４Ａの斜視図、図６の（ａ）はそのネジ受け４Ａの断面図、（ｂ）は下面図である。
【００２２】
これらの図に示すように、ネジ受け４Ａは、穴部４３の内面に開口端部から軸方向に延びる（あるいは、ネジ受け４Ａの回転面に対して垂直な）凸部４４を設けたものである。
この凸部４４を指先などで回転方向に押すことにより、ネジ受け４Ａが上下に回転移動する。
【００２３】
この実施の形態２のネジ受け４Ａは、上記のように構成されているので、凸部４４によりネジ受け４Ａの回転方向への指の滑りを防ぐことができるとともに、ネジ受け４Ａの回転移動を微調整することができるので、更に安定かつ確実な取付作業およびメンテナンス作業ができる。
【符号の説明】
【００２４】
１  本体、２  化粧パネル、３  吊りボルト手段、４  ネジ受け、４Ａ  ネジ受け、５  取付ネジ、１０  空気調和機（天井カセット形空気調和機）、１１  仮掛け部、１２  取付座面、２１  背面パネル、２２  前面パネル、２３  仮掛け手段、２４  フック、２５  ネジ穴、２６  パネル取付穴部、２７  リブ、２８ 取付座面、３１  吊りボルト、３２  長穴、３３  切欠き、３４  吊り金具、３５  座金、３６  ナット、４１  フランジ部、４２  挿通孔、４３  穴部、４４  凸部、５０  天井開口部、５１  天井面。
【図１】
0005452456.tif 000002
【図２】
0005452456.tif 000003
【図３】
0005452456.tif 000004
【図４】
0005452456.tif 000005
【図５】
0005452456.tif 000006
【図６】
0005452456.tif 000007